(57)【特許請求の範囲】
【請求項１】
本体に設けられた吸込口と吹出口を結ぶ空気通路に、除塵用のエアフィルターを配置してなる空気調和機において、該空気調和機は、前記エアフィルターを移動させる移送手段と、前記エアフィルターに付着した塵埃を除去する清掃手段と、前記エアフィルターを通常使用位置に保持する前方ガイド部と、該前方ガイド部の一端に連通すると共に、湾曲部を介して前記エアフィルターの表面と裏面とを反転させる後方ガイド部と、該後方ガイド部の一端に連通すると共に、前記前方ガイド部の他端とも連通して、前記エアフィルターの上下を逆転させて収容する収容ガイド部とを有することを特徴とする空気調和機。
【請求項２】
後方ガイド部は、前方ガイド部よりも空気の通過方向下流側に配置されていることを特徴とする請求項１に記載の空気調和機。
【請求項３】
移送手段は、湾曲部の内側に配置されていることを特徴とする請求項１又は２に記載の空気調和機。
【請求項４】
移送手段は、収容ガイド部の一端近傍に配置されていることを特徴とする請求項１〜３のいずれか１項に記載の空気調和機。
【請求項５】
収容ガイド部と、前方ガイド部又は後方ガイド部のいずれか一方との連通状態を保持する通路切換片を設けたことを特徴とする請求項１〜４のいずれか１項に記載の空気調和機。
【請求項６】
清掃手段は、回転清掃体を備えていることを特徴とする請求項１〜５のいずれか１項に記載の空気調和機。
【発明の詳細な説明】
【技術分野】
【０００１】
本発明は、エアコンディショナーや送風機、加湿器、除湿器、換気扇、あるいは空気清浄器等の空気調和機に関するものである。
【背景技術】
【０００２】
従来から、吸い込んだ室内空気をエアフィルターを通過させた後、調節して室内へと返流させる空気調和機において、エアフィルターを移動させる移送手段と、この移動過程においてエアフィルターに付着した塵埃を除去する清掃手段とを備えて成り、さらに、エアフィルターを通常使用位置に保持する通常ガイド部と、この通常ガイド部の一端部に連なると共に、湾曲部を介して折返されて通常ガイド部の中途部に連なる折返しガイド部とを有し、上記エアフィルターを移動させることによって、通常ガイド部の一端部に位置するエアフィルターの先端部が、通常ガイド部から湾曲部で折返されて通常ガイド部の中途部へと移動することを特徴とする空気調和機が知られている（特許文献１）。
【０００３】
この特許文献１に記載の空気調和機は、上記構成を採用する事により、清掃手段によりエアフィルターの上流側の表面に捕集された塵埃を除去できる構造となっている。
【０００４】
また、吸込口と吹出口とを形成した本体内に、熱交換器と送風ファンとを収納し、前記吸込口の裏面に、吸込まれた空気に含有される塵埃を除去するエアフィルターを装着してなる空気調和機において、前記本体の前面に前記エアフィルターを出し入れする出し入れ口を設ける一方、前記本体内の前面側に前記出し入れ口に臨んで、前記エアフィルターが通過する通過口を前後に備えるとともに、これが通過する際、その表面に蓄積した塵埃を除去する複数のブラシを備えたダストボックスを設ける一方、同ダストボックスの下部に、前記エアフィルターが前記本体の前面側に引き出された際、自動的に前記本体内に収納する巻戻し手段を備えた巻戻し装置を設けてなることを特徴とする空気調和機が知られている（特許文献２）。
【０００５】
この特許文献２に記載の空気調和機は、ダストボックスが、上下に分割された上部ボックスと下部ボックスとからなり、上部ボックスにエアフィルターの表側に蓄積した塵埃を除去する第一ブラシと第二ブラシとを前後して設ける一方、下部ボックスにエアフィルターの裏側に蓄積した塵埃を除去する第三ブラシを設けてなる構成を採用する事により、エアフィルターの表側と裏側を同時に清掃できる構造となっている。
【先行技術文献】
【特許文献】
【０００６】
【特許文献１】特許第４１７５４０９号公報
【特許文献２】特許第４１６５２４５号公報
【発明の概要】
【発明が解決しようとする課題】
【０００７】
上記特許文献１の空気調和機は、エアフィルターの先端部が、通常ガイド部から湾曲部で折返されて通常ガイド部の中途部へと移動すると共に、清掃手段にてエアフィルターの上流側の表面のみが清掃できる構造の為、エアフィルターの下流側の表面は、清掃できないという課題があった。
【０００８】
また、上記特許文献２の空気調和機は、エアフィルターの表側と裏側を同時に清掃できる構造となっているが、エアフィルターの表側に蓄積した塵埃を除去する第一ブラシと第二ブラシとを前後して設ける一方、エアフィルターの裏側に蓄積した塵埃を除去する第三ブラシを設ける必要があるという課題があった。
【０００９】
本発明は、上記課題を解決する為になされたもので、エアフィルターの表側あるいは裏側のいずれか片面側のみに清掃手段を形成することにより、エアフィルターの表側と裏側を交互に清掃できると共に、安価かつコンパクトな空気調和機を提供することを目的としている。
【課題を解決するための手段】
【００１１】
請求項１の発明は、本体に設けられた吸込口と吹出口を結ぶ空気通路に、除塵用のエアフィルターを配置してなる空気調和機において、該空気調和機は、前記エアフィルターを移動させる移送手段と、前記エアフィルターに付着した塵埃を除去する清掃手段と、前記エアフィルターを通常使用位置に保持する前方ガイド部と、該前方ガイド部の一端に連通すると共に、湾曲部を介して前記エアフィルターの表面と裏面とを反転させる後方ガイド部と、該後方ガイド部の一端に連通すると共に、前記前方ガイド部の他端とも連通して、前記エアフィルターの上下を逆転させて収容する収容ガイド部とを有することを特徴としている。したがって、前方ガイド部、後方ガイド部、及び収容ガイド部によって、エアフィルターの表面と裏面とを反転させると共に、エアフィルターの上下を逆転させることができるので、清掃手段によって、エアフィルターの表面と裏面の双方を清掃することができ、エアフィルターに塵埃が付着していない状態を維持することができる。
【００１２】
請求項２の発明は、請求項１の発明において、後方ガイド部は、前方ガイド部よりも空気の通過方向下流側に配置されていることを特徴としている。したがって、空気調和機本体をコンパクトな形状とすることができる。
【００１３】
請求項３の発明は、請求項１又は２の発明において、移送手段は、湾曲部の内側に配置されていることを特徴としている。したがって、空気調和機本体をコンパクトな形状とすることができる。
【００１４】
請求項４の発明は、請求項１〜３のいずれかの発明において、移送手段は、収容ガイド部の一端近傍に配置されていることを特徴としている。したがって、エアフィルターを収容ガイド部から前方ガイド部へ容易に移送することができると共に、後方ガイド部から収容ガイド部へも容易に移送することができる。
【００１５】
請求項５の発明は、請求項１〜４のいずれかの発明において、収容ガイド部と、前方ガイド部又は後方ガイド部のいずれか一方との連通状態を保持する通路切換片を設けたことを特徴としている。したがって、通路切換片によって、エアフィルターの収容ガイド部から前方ガイド部への移送、又は後方ガイド部から収容ガイド部への移送をスムーズに行うことができる。
【００１６】
請求項６の発明は、請求項１〜５のいずれかの発明において、清掃手段は、回転清掃体を備えていることを特徴としている。したがって、回転清掃体によって、エアフィルターの表面又は裏面に付着している塵埃を効率よく除去することができる。
【発明の効果】
【００１７】
請求項１の発明では、エアフィルターの表面と裏面の双方を清掃することができ、エアフィルターに塵埃が付着していない状態を維持することができる。また、請求項２及び３の発明では、空気調和機本体をコンパクトな形状とすることができる。
【００１８】
また、請求項４及び５の発明では、エアフィルターの移送をスムーズに行うことができる。さらに、請求項６の発明では、エアフィルターの表面又は裏面に付着している塵埃を効率よく除去することができる。
【図面の簡単な説明】
【００１９】
【図１】本発明に係る空気調和機の外観を示す斜視図
【図２】第１実施形態の空気調和機を示す断面図
【図３】第１実施形態の空気調和機の一部を示す断面図
【図４】第１実施形態の空気調和機の一部を示す断面図
【図５】第１実施形態の空気調和機の一部を示す断面図
【図６】第１実施形態の空気調和機の一部を示す断面図
【図７】本発明の空気調和機を構成するエアフィルターを示す斜視図
【図８】第２実施形態の空気調和機の一部を示す断面図
【図９】第２実施形態の空気調和機の一部を示す断面図
【発明を実施するための形態】
【００２０】
以下、本発明の実施の形態について、図面を参照しながら説明する。なお、この実施の形態により本発明が限定されるものではない。
【００２１】
図１は、本発明に係る空気調和機の外観を示す斜視図である。また、図２は、第１実施形態の空気調和機を示す断面図である。これらの図に示すように、空気調和機１０は、室内の壁に取り付けられる空気調和機本体１の上方に、室内の塵埃を含んだ外気を吸引するための吸込口３が形成されており、下方に清浄空気を室内に吹き出しする吹出口４が形成されている。そして、吸込口３と吹出口４とを連通する空気通路５が、空気調和機本体１内に形成されている。
【００２２】
また、空気通路５には、上流から下流に向かい通過する塵埃を捕獲するエアフィルター６と、冷気や暖気を供給する熱交換器７と、室内空気を吸込口３から吸引し、熱交換器７を通して、熱交換器７で熱交換された空気を吹出口４から排出するための送風機８が配置されている。
【００２３】
さらに、空気調和機本体１内には、送風機８の回転数や、熱交換器７の冷気や暖気のエネルギーをそれぞれ制御する制御体が、制御室に収納されている（図示せず）。また、空気調和機本体１には、エアフィルター６で捕獲された塵埃を廃棄処理等するための開閉蓋９が形成されている。
【００２４】
さらに、空気調和機本体１内には、エアフィルター６を移動させる移送手段１１ａ、１１ｂと、エアフィルター６に付着した塵埃を除去する清掃手段２と、エアフィルター６を通常使用位置（図２に示す位置）に保持する第１ガイド部１２と、第１ガイド部１２の端部に連通すると共に、エアフィルター６を通常使用位置外に保持する第２ガイド部１３、１４とを有し、エアフィルター６が第１ガイド部１２と第２ガイド部１３、１４との間を往復移動する間に、清掃手段２が、エアフィルター６の表面６ａ側と裏面６ｂ側の双方に当接するように設置されている。
【００２５】
図３〜図６は、第１実施形態の空気調和機の一部を示す断面図である。これらの図面を用いて、第１実施形態の空気調和機を構成するエアフィルターの動作を説明する。まず、図３に示すように、第１実施形態の空気調和機は、エアフィルター６を移動させる移送手段１１ａ、１１ｂと、エアフィルター６に付着した塵埃を除去する清掃手段２と、エアフィルター６を通常使用位置に保持する前方ガイド部１２と、前方ガイド部１２の一端に連通すると共に、湾曲部１３ａを介してエアフィルター６の表面６ａと裏面６ｂとを反転させる後方ガイド部１３と、後方ガイド部１３の一端に連通すると共に、前方ガイド部１２の他端とも連通して、エアフィルター６の上下を逆転させて収容する収容ガイド部１４とを有している。
【００２６】
また、後方ガイド部１３は、前方ガイド部１２よりも空気の通過方向下流側に配置されている。また、移送手段１１ａは、湾曲部１３ａの内側に配置されている。また、移送手段１１ｂは、収容ガイド部１４の一端近傍に配置されている。さらに、収容ガイド部１４と、前方ガイド部１２又は後方ガイド部１３のいずれか一方との連通状態を保持する通路切換片１５が設置されている。また、移送手段１１ａ、１１ｂは、ピニオンにて構成されている。そして、後述するように、ピニオン１１ａ、１１ｂに噛合するラックが、エアフィルター６の表面６ａ及び裏面６ｂの所定の位置に形成されている。
【００２７】
また、清掃手段２は、回転清掃体にて形成されている。この回転清掃体２は、回転軸２ａにブラシ毛２ｂが植設されて構成されており、エアフィルター６の表面６ａ又は裏面６ｂに付着している塵埃を効率よく除去することができる。
【００２８】
そして、図３に示す収容ガイド部１４にエアフィルター６が収容されている状態では、エアフィルター６の一方の端部６ｄ側の表面６ａに回転清掃体２が接触していると共に、エアフィルター６の一方の端部６ｄ側の裏面６ｂに設置されているラック（図示せず）に、ピニオン１１ｂが噛合している。したがって、ピニオン１１ｂを反時計回りに回転させることによって、エアフィルター６は、収容ガイド部１４側から前方ガイド部１２側へと移動することとなり、この時、エアフィルター６の表面６ａ側全体が回転清掃体２によって清掃される。
【００２９】
次に、図４に示す前方ガイド部１２にエアフィルター６が保持されている状態では、エアフィルター６の一方の端部６ｄ側の裏面６ｂに設置されているラック（図示せず）に、ピニオン１１ａが噛合していると共に、他方の端部６ｃ側の裏面６ｂに設置されているラック（図示せず）に、ピニオン１１ｂが噛合している。この状態は、空気調和機が通常使用される状態である。そして、空気調和機の通常使用状態を停止してエアフィルター６を清掃するためのモードに切り替えると、ピニオン１１ａが反時計回りに回転することとなる。この時、エアフィルター６は、前方ガイド部１２側から湾曲部１３ａを介して後方ガイド部１３側へと移動することとなる。
【００３０】
次に、図５に示す後方ガイド部１３にエアフィルター６が保持されている状態では、エアフィルター６の一方の端部６ｄ側の表面６ａに設置されているラック（図示せず）に、ピニオン１１ｂが噛合していると共に、他方の端部６ｃ側の裏面６ｂに設置されているラック（図示せず）に、ピニオン１１ａが噛合している。この状態では、エアフィルター６の裏面６ｂ側が空気の通過方向の上流側となり、表面６ａ側が空気の通過方向の下流側となるので、図４に示した通常使用状態からエアフィルター６の表面６ａと裏面６ｂとが反転したこととなる。また、エアフィルター６の一方の端部６ｄ側が上方に位置し、他方の端部６ｃ側が下方に位置することとなるので、図４に示した通常使用状態からエアフィルター６の上下が逆転したこととなる。そして、ピニオン１１ｂを時計回りに回転させることによって、エアフィルター６は、後方ガイド部１３側から収容ガイド部１４側へと移動することとなり、この時、エアフィルター６の裏面６ｂ側全体が回転清掃体２によって清掃される。尚、通路切換片１５は、バネによってピニオン１１ｂ側に付勢されており、エアフィルター６の一方の端部６ｄ及び裏面６ｂ側が、通路切換片１５の側面を押すようにして、収容ガイド部１４側へと移動する。
【００３１】
次に、図６に示す収容ガイド部１４にエアフィルター６が保持されている状態では、エアフィルター６の他方の端部６ｃ側の裏面６ｂに回転清掃体２が接触していると共に、エアフィルター６の他方の端部６ｃ側の表面６ａに設置されているラック（図示せず）に、ピニオン１１ｂが噛合している。したがって、ピニオン１１ｂを反時計回りに回転させることによって、エアフィルター６は、収容ガイド部１４側から前方ガイド部１２側へと移動することとなり、この時、エアフィルター６の裏面６ｂ側全体が回転清掃体２によって清掃される。
【００３２】
図７は、第１実施形態の空気調和機を構成するエアフィルターを示す斜視図である。エアフィルター６は、可撓性を備えた部材にて形成されており、表面６ａ及び裏面６ｂの両側端部に複数のラック１６、１６・・が形成されている。この複数のラック１６、１６・・が前述したピニオン１１ａ、１１ｂと噛合することによって、エアフィルター６は、収容ガイド部１４から、前方ガイド部１２及び後方ガイド部１３を経て再び収容ガイド部１４へと移送される。
【００３３】
図８及び図９は、第２実施形態の空気調和機の一部を示す断面図である。これらの図面を用いて、第２実施形態の空気調和機を構成するエアフィルターの動作を説明する。先ず、第２実施形態と第１実施形態の構成における相違点は、第２実施形態では、収容ガイド部を２つに分けて、第１収容ガイド部１４ａと、第２収容ガイド部１４ｂとを形成した点と、回転軸１７ａにブラシ毛１７ｂが植設された回転清掃体１７を、上下方向に可動する構成とした点である。このように構成することによって、第１収容ガイド部１４ａに収容されているエアフィルター６が、前方ガイド部１２側へ移送される時に、回転清掃体１７によって、エアフィルター６の表面６ａ側全体が清掃されることとなる。一方、後方ガイド部１３に保持されているエアフィルター６が、第２収容ガイド部１４ｂ側へ移送される時に、回転清掃体１７の回転軸１７ａと第１収容ガイド部１４ａとの高さＡが、高さＢとなるように下方へ可動させる。これにより、回転清掃体１７によって、エアフィルター６の裏面６ｂ側全体が清掃されることとなる。尚、図８及び図９において省略され、図示していないが、第２実施形態においても、通路切換片１５が所定の位置に設置されており、ピニオン１１ａ以外にも複数のピニオンがエアフィルター６を移送するために所定の位置に設置されている。
【００３４】
なお、図示していないが、本発明の第１実施形態及び第２実施形態以外の形態も本発明に含まれる。例えば、エアフィルターを通常使用位置に保持する第１ガイド部と、該第１ガイド部の端部に連通すると共に、エアフィルターを通常使用位置外に収容する第２ガイド部とを形成すると共に、第１ガイド部と第２ガイド部との間に、回転ブラシ等の清掃手段を形成し、第１ガイド部と第２ガイド部の連通している側の各端部を２つに分岐させて形成し、清掃手段を分岐させた第１ガイド部及び第２ガイド部で上下に挟み込むように構成した形態にすることもできる。この際、エアフィルターが第１ガイド部から第２ガイド部へ移動する時には、回転ブラシの下側のガイド部を通過することで回転ブラシがエアフィルターの表面側に当接すると共に、エアフィルターが第２ガイド部から第１ガイド部へ移動する時には、回転ブラシの上側のガイド部を通過することで回転ブラシがエアフィルターの裏面側に当接することができ、１つの清掃手段のみでエアフィルターの表面と裏面の双方を清掃することができる。
【産業上の利用可能性】
【００３５】
本発明の空気調和機は、エアコンディショナーや送風機、加湿器、除湿器、換気扇、あるいは空気清浄器等の空気調和機として使用される。
【符号の説明】
【００３６】
１  空気調和機本体
２、１７  回転清掃体（清掃手段）
２ａ、１７ａ  回転軸
２ｂ、１７ｂ  ブラシ毛
３  吸込口
４  吹出口
５  空気通路
６  エアフィルター
６ａ  表面
６ｂ  裏面
７  熱交換器
８  送風機
９  開閉蓋
１０  空気調和機
１１ａ、１１ｂ  移送手段（ピニオン）
１２  前方ガイド部（第１ガイド部）
１３  後方ガイド部（第２ガイド部）
１３ａ  湾曲部
１４  収容ガイド部（第２ガイド部）
１４ａ  第１収容ガイド部
１４ｂ  第２収容ガイド部
１５  通路切換片
１６  ラック
Ａ、Ｂ  高さ
【図１】
0006440395.tif 000002
【図２】
0006440395.tif 000003
【図３】
0006440395.tif 000004
【図４】
0006440395.tif 000005
【図５】
0006440395.tif 000006
【図６】
0006440395.tif 000007
【図７】
0006440395.tif 000008
【図８】
0006440395.tif 000009
【図９】
0006440395.tif 000010